(57)【要約】【課題】波長合分波フィルタの角度固定を精度よく、且つ簡単に行うことができる送受信一体型光モジュールを提供する。【解決手段】筐体に送信側及び受信側光素子を備えると共に、光軸に対して所定の角度で固定された波長合分波フィルタを備え、光ファイバから当該フィルタへ入射した光を当該フィルタで反射させて前記受信側光素子に入射させる送受信一体型光モジュールにおいて、波長合分波フィルタ３を保持したアセンブリ２２を備え、このアセンブリ２２を取り付けるアセンブリ孔２３を筐体１に形成し、アセンブリ２２とアセンブリ孔２３との間に波長合分波フィルタ３を光軸に対して所定の角度で固定可能に形成された位置決め手段２５Ａ，２３Ａを設けた。【選択図】　　　図２
2004012844.tif 000002
【特許請求の範囲】
【請求項１】
筐体に送信側及び受信側光素子を備えると共に、光軸に対して所定の角度で固定された波長合分波フィルタを備え、光ファイバから当該フィルタへ入射した光を当該フィルタで反射させて前記受信側光素子に入射させる送受信一体型光モジュールにおいて、前記波長合分波フィルタを保持したアセンブリを備え、このアセンブリを取り付けるアセンブリ孔を前記筐体に形成し、前記アセンブリと前記アセンブリ孔との間に波長合分波フィルタを光軸に対して所定の角度で固定可能に形成された位置決め手段を設けたことを特徴とする送受信一体型光モジュール。
【請求項２】
前記位置決め手段が、前記アセンブリに形成された突起と、この突起が嵌合する、前記アセンブリ孔の孔壁に連なる孔とで形成されていることを特徴とする請求項１記載の送受信一体型光モジュール。
【請求項３】
前記位置決め手段が、前記アセンブリの回転防止機能を兼ねることを特徴とする請求項１又は２記載の送受信一体型光モジュール。
【請求項４】
前記アセンブリがシャフトを備え、このシャフトの先端に前記波長合分波フィルタが接着されることを特徴とする請求項１乃至３のいずれか一項記載の送受信一体型光モジュール。
【請求項５】
前記アセンブリがフランジを備え、このフランジが前記アセンブリ孔に嵌合されることを特徴とする請求項１乃至４のいずれか一項記載の送受信一体型光モジュール。
【請求項６】
前記フランジに前記位置決め手段が形成されていることを特徴とする請求項５記載の送受信一体型光モジュール。
【請求項７】
前記波長合分波フィルタが光軸に対して４５°の角度で固定されていることを特徴とする請求項１乃至６のいずれか一項記載の送受信一体型光モジュール。
【請求項８】
前記アセンブリがフィルタ固定治具を用いることにより製作されていることを特徴とする請求項１乃至７のいずれか一項記載の送受信一体型光モジュール。
【発明の詳細な説明】
【０００１】
【発明の属する技術分野】
本発明は、波長合分波フィルタと送信側及び受信側光素子とを備えた送受信一体型光モジュールに関するものである。
【０００２】
【従来の技術】
図５は、従来の送受信一体型光モジュールを示す。
【０００３】
１は筐体を示し、この筐体１の内側には、波長合分波フィルタ３が４５°の角度を持って固定されている。この波長合分波フィルタ３の透過側には、送信側の発光素子部ＬＤ４が配置され、波長合分波フィルタ３の反射側には、受信側の受光素子部ＰＤ５が配置されている。
【０００４】
各光素子部４，５には、それぞれ集光レンズ７が配置され、この集光レンズ７で光信号が平行光に変換されている。また、筐体１には光ファイバ９が接続され、この光ファイバ９と波長合分波フィルタ３との間には、光ファイバ９からの光をコリメートするコリメート用レンズ１１が配置され、光ファイバ９より出射した光信号を、平行光に変換して出射したり、光素子部ＬＤ４より出射した光信号を集光し、光ファイバ９に入射させている。
【０００５】
この種のものでは、光モジュール調芯の際、まず、光ファイバ９と送信側ＬＤ４との間に波長合分波フィルタ３を配置し、光ファイバ９もしくは送信側ＬＤ４を移動させながら最適距離を求め、ついで、フィルタ反射方向に受信側ＰＤ５を配置し、この受信側ＰＤ５を移動させながら、波長合分波フィルタ３の傾きを調節し、最適距離を求める。
【０００６】
【発明が解決しようとする課題】
しかし、波長合分波フィルタ３の傾きを調節する場合、その調整には精度が要求されるため、この調整によって受信側ＰＤ５の受光感度を悪化させるおそれがある。そのため、フィルタ３の角度調整は、注意を払いながら行わなければならず、作業効率が悪く、しかも、フィルタ角度を調整するために専用治具を準備しなければならない等の問題があった。また、波長合分波フィルタ３の角度固定についても、調芯したフィルタ角度がずれないように固定する必要があり、そのため、接着剤で慎重に固定する必要があるが、非常に緻密な作業であり、且つ手作業であるため、高品質の光モジュール製作が困難になるだけでなく、生産性が悪化するという問題があった。
【０００７】
そこで、本発明の目的は、上述した従来技術が有する課題を解消し、波長合分波フィルタの角度固定を精度よく、且つ簡単に行うことができる送受信一体型光モジュールを提供することにある。
【０００８】
【課題を解決するための手段】
請求項１記載の発明は、筐体に送信側及び受信側光素子を備えると共に、光軸に対して所定の角度で固定された波長合分波フィルタを備え、光ファイバから当該フィルタへ入射した光を当該フィルタで反射させて前記受信側光素子に入射させる送受信一体型光モジュールにおいて、前記波長合分波フィルタを保持したアセンブリを備え、このアセンブリを取り付けるアセンブリ孔を前記筐体に形成し、前記アセンブリと前記アセンブリ孔との間に波長合分波フィルタを光軸に対して所定の角度で固定可能に形成された位置決め手段を設けたことを特徴とするものである。
【０００９】
請求項２記載の発明は、請求項１記載のものにおいて、前記位置決め手段が、前記アセンブリに形成された突起と、この突起が嵌合する、前記アセンブリ孔の孔壁に連なる孔とで形成されていることを特徴とする。
【００１０】
請求項３記載の発明は、請求項１又は２記載のものにおいて、前記位置決め手段が、前記アセンブリの回転防止機能を兼ねることを特徴とする。
【００１１】
請求項４記載の発明は、請求項１乃至３のいずれか一項記載のものにおいて、前記アセンブリがシャフトを備え、このシャフトの先端に前記波長合分波フィルタが接着されることを特徴とする。
【００１２】
請求項５記載の発明は、請求項１乃至４のいずれか一項記載のものにおいて、前記アセンブリがフランジを備え、このフランジが前記アセンブリ孔に嵌合されることを特徴とする。
【００１３】
請求項６記載の発明は、請求項５記載のものにおいて、前記フランジに前記位置決め手段が形成されていることを特徴とする。
【００１４】
請求項７記載の発明は、請求項１乃至６のいずれか一項記載のものにおいて、前記波長合分波フィルタが光軸に対して４５°の角度で固定されていることを特徴とする。
【００１５】
請求項８記載の発明は、請求項１乃至７のいずれか一項記載のものにおいて、前記アセンブリがフィルタ固定治具を用いることにより製作されていることを特徴とする。
【００１６】
【発明の実施の形態】
以下、本発明による送受信一体型光モジュールの一実施形態を添付した図面を参照して説明する。
【００１７】
図１において、１は筐体を示し、この筐体１の内側には、波長合分波フィルタ３が、４５°の角度を持って固定されている。この波長合分波フィルタ３の透過側には、ＬＤホルダー１６、ＬＤカラー１７を介して、送信側の発光素子部ＬＤ４が配置され、波長合分波フィルタ３の反射側には、絶縁カラー１８、ＰＤカラー１９を介して、受信側の受光素子部ＰＤ５が配置されている。各光素子部４，５には集光レンズ７が配置され、この集光レンズ７で光信号が平行光に変換される。また、筐体１にはフェルール部８を介して光ファイバ９が接続され、このフェルール部８から出た光は、上記波長合分波フィルタ３を介して、波長別に送信側、受信側に分岐されて、受信側に分岐された光が、受光素子部ＰＤ５に出射される一方で、上記発光素子部ＬＤ４からの光は、波長合分波フィルタ３を透過し、光ファイバ９に出射される。
【００１８】
本実施形態では、筐体１の内側に、波長合分波フィルタ３が、４５°の角度で精度よく固定されている。
【００１９】
図２において、筐体１は略直方体状の箱形であり、この筐体１の第一面１Ａには、フェルール部８を取り付けるフェルール孔２１があけられ、第一面１Ａに直交する第二面１Ｂには、波長合分波フィルタ３を保持したアセンブリ２２を取り付けるアセンブリ孔２３があけられている。第一面１Ａと第二面１Ｂは９０°で精度よく直交している。
【００２０】
上記アセンブリ２２は、フランジ２５とシャフト２６を一体化し、このシャフト２６のフィルタ固定面に対し垂直に波長合分波フィルタ３を接着して構成される。波長合分波フィルタ３をシャフト２６に接着する場合、図３に示すように、フィルタ固定治具３１が準備される。
【００２１】
このフィルタ固定治具３１は、フランジ２５及びシャフト２６が挿入される挿入孔３１Ａと、この挿入孔３１Ａに連通し、波長合分波フィルタ３が挿入される第一基準孔３１Ｂと、フランジ２５の突起２５Ａが嵌合する第二基準孔３１Ｃとを備えて構成されている。
【００２２】
このフィルタ固定治具３１では、第一基準孔３１Ｂの中心線と、第二基準孔３１Ｃの中心線とが同一面内に位置する。
【００２３】
シャフト２６の先端に熱硬化性接着剤を塗布しておいて、フランジ２５の突起２５Ａを第二基準孔３１Ｃに位置あわせしながら、フランジ２５とシャフト２６を挿入孔３１Ａに挿入し、シャフト２６のフィルタ固定面２６Ａに対し垂直に波長合分波フィルタ３が当接するまで、第一基準孔３１Ｂに、波長合分波フィルタ３を挿入し、熱硬化性接着剤が硬化するまで、例えば、ホットプレート上に放置しておくなどして、これらを加熱することによって、シャフト２６のフィルタ固定面２６Ａに波長合分波フィルタ３を接着する。
【００２４】
接着一体化された後のアセンブリ２２は、図４を参照し、フィルタ固定治具３１の挿入孔３１Ａの開口側から引き出される。そして、このアセンブリ２２が、図２に示すように、筐体１のアセンブリ孔２３に取り付けられ、図示を省略した固定手段によって筐体１に固定される。
【００２５】
図２に示すように、筐体１の第二面１Ｂには、アセンブリ孔２３の孔壁に連続して、フランジ２５の突起２５Ａが嵌合する孔２３Ａがあけられ、この孔２３Ａは、フェルール孔２１の軸線Ｌに対し、４５°の角度θを持って形成されている。従って、この孔２３Ａにフランジ２５の突起２５Ａを位置あわせして、アセンブリ孔２３にアセンブリ２２を取り付けることにより、フェルール孔２１の軸線Ｌに対し、４５°の角度θを持って、アセンブリ２２の波長合分波フィルタ３をきわめて精度よく固定することができる。これら突起２５Ａと、突起２５Ａが嵌合する孔２３Ａとは位置決め手段を構成する。
【００２６】
また、固定後、フィルタ３は、筐体１に形成された孔２３Ａに止まるため、孔２３Ａが回り止めの機能を果たす。
【００２７】
本実施形態では、波長合分波フィルタ３が、筐体１の内側において、光軸に対し４５°の角度で精度よく且つ容易に固定されるため、従来のように、面倒なフィルタの調芯が不要となり、この波長合分波フィルタ３に入射して、そこで反射した反射波長光を、ほぼ確実に精度よく受光素子部（受光ダイオード）ＰＤ５に入射させることができる。
【００２８】
また、光軸に対し４５°の孔２３Ａを加工し、その孔２３Ａに合致するシャフト２６上にフィルタ３を固定し、そのシャフト２６を筐体１に固定したため、フィルタ３の回転が防止される。
【００２９】
さらに、本実施形態では、フィルタ固定治具３１を用いてアセンブリ２２が製作されるため、フィルタ３の取り付けの角度誤差がなくなり、常に一様な角度を有するフィルタ付きシャフトの製作が可能となり、光モジュールの製作精度を向上させることができる。
【００３０】
以上、一実施形態に基づいて本発明を説明したが、本発明は、これに限定されるものでないことは明らかである。
【００３１】
位置決め手段は、突起２５Ａと、突起２５Ａが嵌合する孔２３Ａに限定されるものではなく、フランジ２５に溝を設け、アセンブリ孔２３に突起を設ける等、任意の変更が可能である。
【００３２】
【発明の効果】
本発明では、機械的に光反射角度を決めることができると共に、常に一様な角度を有するフィルタ付き光モジュールの製作が可能となり、その製作精度を格段に向上させることができる。
【図面の簡単な説明】
【図１】本発明による送受信一体型光モジュールの一実施形態を示す断面図である。
【図２】同じく分解斜視図である。
【図３】アセンブリの製作の手順を示す斜視図である。
【図４】アセンブリを示す斜視図である。
【図５】従来の送受信一体型光モジュールを示す断面図である。
【符号の説明】
１　筐体
３　波長合分波フィルタ
４　発光素子部ＬＤ
５　受光素子部ＰＤ
７　集光レンズ
８　フェルール部
９　光ファイバ
２２　アセンブリ
２５　フランジ
２６　シャフト
３１　フィルタ固定治具
【図１】
2004012844.tif 000003
【図２】
2004012844.tif 000004
【図３】
2004012844.tif 000005
【図４】
2004012844.tif 000006
【図５】
2004012844.tif 000007